(57)【要約】【要  約】【課  題】    携帯機器を確実に保持でき、見栄えが良好で、かつ、携帯機器を手に持って使用している際などに、携帯機器を収納するためのケースが邪魔になったりすることがない携帯機器用保持具を提供する。【解決手段】  携帯機器（３）を着脱可能に保持する携帯機器用保持具であって、携帯機器に設けられる係合部品（２）と、係合部品を係止するとともにベルトなどに装着される係止部品（１）とを備え、係合部品は、横長のストラット（３２）および、ストラットの先端のスライダー（３３）を具備し、係止部品は、スライダーが挿入されるスライダー用開口（２４）と、スライダー用開口から挿入されたスライダーを保持位置に案内する案内部（２１）と、案内部の端部に形成されストラットの横寸法（Ｗ）よりも小さくかつ縦寸法（Ｓ）よりも大きな導入部（２３）とを具備している。【選択図】  図１
2005295227.tif 000002
【特許請求の範囲】
【請求項１】
携帯機器を着脱可能に保持する携帯機器用保持具であって、
携帯機器に設けられる係合部品と、
この係合部品を係脱可能に係止するとともに装着部によりベルトなどに装着される係止部品とを備え、
前記係合部品または係止部品の一方は、横長のストラットおよび、このストラットの先端に設けられているスライダーを具備し、
前記係合部品または係止部品の他方は、前記スライダーが挿入されるスライダー用開口と、このスライダー用開口から挿入されたスライダーを保持位置に案内する案内部と、この案内部のスライダー用開口側の端部に形成され前記ストラットが通過する前記ストラットの横寸法よりも小さくかつ縦寸法よりも大きな導入部とを具備し、
前記案内部は、スライダーを回動可能に保持しており、前記導入部を通過してきたストラットが回動可能であることを特徴とする携帯機器用保持具。
【請求項２】
前記係合部品は前記携帯機器の端部よりに設けられ、係止部品に係止された携帯機器が重力により所定の向きに回動することを特徴とする請求項１記載の携帯機器用保持具。
【請求項３】
前記係合部品は前記携帯機器の充電用端子とは反対側の端部よりに設けられることを特徴とする請求項２記載の携帯機器用保持具。
【請求項４】
前記係合部品は前記携帯機器の電池交換用蓋に設けられることを特徴とする請求項１記載の携帯機器用保持具。
【請求項５】
前記係止部品の装着部は、ベルトなどに引っ掛ける引掛部であることを特徴とする請求項１ないし４の何れか１項記載の携帯機器用保持具。
【請求項６】
前記スライダーは、円板状であることを特徴とする請求項１ないし５の何れか１項記載の携帯機器用保持具。
【請求項７】
前記スライダーは、一部が切り欠かれた円板状であることを特徴とする請求項１ないし５の何れか１項記載の携帯機器用保持具。
【請求項８】
前記スライダーは、多角形の板状であることを特徴とする請求項１ないし５の何れか１項記載の携帯機器用保持具。
【請求項９】
前記案内部は、案内溝であることを特徴とする請求項１ないし８の何れか１項記載の携帯機器用保持具。
【発明の詳細な説明】
【技術分野】
【０００１】
本発明は、携帯電話やカメラなどの携帯機器を着脱可能に保持する携帯機器用保持具に関する。
【背景技術】
【０００２】
従来、携帯電話やカメラなどの携帯機器は、携行の際には、鞄やポケットに収められたり、また、携帯機器に紐を取り付け、この紐を首などに引っ掛けてぶら下げられている。さらに、たとえば、特許文献１に記載のように、携帯機器を収納するケースをベルトに装着するものがある。
【０００３】
ところで、携帯機器を鞄に収納していると、常時、鞄を持ち歩く必要がある。また、携帯機器をポケットに収納していると、動いたり、屈んだりした際に携帯機器がポケットから落ちることがある。そして、携帯機器の紐を首などに引っ掛けてぶら下げると、紐が外側から見え見栄えが悪くなる。さらに、特許文献１に記載のように、ベルトやズボンなどに装着されたケースに携帯機器を収納すると、携帯機器を使用する際にケースの蓋を開けた後に携帯機器を取り出す必要があるとともに、携帯機器を手に持って使用している際や携帯機器を携行しない際にも、大きなケースがベルトに装着されており、邪魔になる。また、見栄えも悪くなる。
【特許文献１】特開平１０−１７９２３３号公報
【発明の開示】
【発明が解決しようとする課題】
【０００４】
解決しようとする問題点は、携帯機器を携行する際に、鞄などを持ち歩く必要があったり、携帯機器を確実に保持できなかったり、見栄えが悪かったりする点である。また、携帯機器を手に持って使用している際や携帯機器を携行しない際に、携帯機器を収納するためのケースが邪魔になったりする点である。
【課題を解決するための手段】
【０００５】
本発明の携帯機器用保持具は、携帯機器（３）を着脱可能に保持する携帯機器用保持具であって、
携帯機器に設けられる係合部品（２）と、この係合部品を係脱可能に係止するとともに装着部（１２）によりベルトなどに装着される係止部品（１）とを備え、
前記係合部品または係止部品の一方は、横長のストラット（３２）および、このストラットの先端に設けられているスライダー（３３）を具備し、
前記係合部品または係止部品の他方は、前記スライダーが挿入されるスライダー用開口（２４）と、このスライダー用開口から挿入されたスライダーを保持位置に案内する案内部（２１）と、この案内部のスライダー用開口側の端部に形成され前記ストラットが通過する前記ストラットの横寸法（Ｗ）よりも小さくかつ縦寸法（Ｓ）よりも大きな導入部（２３）とを具備し、
前記案内部は、スライダーを回動可能に保持しており、前記導入部を通過してきたストラットが回動可能である。
【０００６】
また、係合部品が携帯機器の端部よりに設けられ、係止部品に係止された携帯機器が重力により所定の向きに回動することがある。
そして、係合部品が携帯機器の充電用端子（３６）とは反対側の端部よりに設けられることがある。
【０００７】
さらに、係合部品が携帯機器の電池交換用蓋（４１）に設けられることがある。
また、係止部品の装着部が、ベルトなどに引っ掛ける引掛部であることがある。
【０００８】
そして、スライダーが、円板状であることがある。
さらに、スライダーが、一部切り欠かれた円板状であることがある。
また、スライダーが、多角形の板状であることがある。
【０００９】
そして、案内部が、案内溝であることがある。
【発明の効果】
【００１０】
本発明によれば、携帯機器に設けられた係合部品または、ベルトなどに装着される係止部品の一方は、横長のストラットおよび、このストラットの先端に設けられているスライダーを具備し、また、他方はスライダー用開口、案内部および導入部を具備しており、スライダーをスライダー用開口に挿入するとともに、横長のストラットを導入部に通して、案内部でスライダーを保持位置に案内し、この案内部がスライダーを回動可能に保持している。したがって、簡単に携帯機器を係止部品に係合させて保持させることができる。しかも、横長のストラットの長手方向が導入部に対向している状態では、ストラットは導入部を通過することができないので、走ったり、運動などをしても、携帯機器が係止部品から脱落するおそれはない。そして、携帯機器を係止部品から取り外す際には、携帯機器の向きを変更して、横長のストラットの短辺方向を導入部に対向させると、ストラットは導入部を通過することができるため、携帯機器を係止部品から簡単に取り外すことができる。さらに、スライダーは案内部で保持されている状態で回動可能であるので、座った際などに、邪魔にならないように、携帯機器を所望の向きたとえば横向きにすることができる。
【００１１】
また、係合部品が携帯機器の端部よりに設けられている場合には、係止部品に係止された携帯機器が重力により所定の向きに回動するので、スライダーをスライダー用開口に挿入するとともに、横長のストラットを導入部に通すだけで、案内部で保持されたスライダーが回動してストラットの向きが変更され、ストラットが導入部を通過することができなくなる。その結果、携帯機器の係合部品を係止部品に係合させる操作のみで、携帯機器を確実に保持することができる。
【００１２】
そして、係合部品が携帯機器の充電用端子とは反対側の端部よりに設けられると、充電の際に、係止部品が邪魔になることを極力防止することができる。
【００１３】
さらに、係合部品が携帯機器の電池交換用蓋に設けられると、係合部品の設けられていない電池交換用蓋と交換することにより、状況に応じて、係合部品付きの携帯機器または、係合部品無しの携帯機器に簡単に変更することができる。
【００１４】
そして、スライダーが円板状の場合には、円滑に携帯機器を揺動させることができ、所望の向きに携帯機器を向けることができる。
さらに、スライダーが一部切り欠かれた円板状の場合には、所望の向きで携帯機器が安定して保持され、無闇に携帯機器が揺動することを防止することができる。
また、スライダーが多角形の板状の場合には、携帯機器を所望の複数の向きで安定させることができる。
【発明を実施するための最良の形態】
【００１５】
携帯機器を携行する際に、鞄などを持ち歩く必要がなく、携帯機器を確実に保持でき、見栄えが良好で、かつ、携帯機器を手に持って使用している際や携帯機器を携行しない際に、携帯機器を収納するためのケースが邪魔になったりすることがないという目的を、携帯機器に設けられた係合部品または、ベルトなどに装着される係止部品の一方に、横長のストラットおよび、このストラットの先端に設けられているスライダーを設け、また、他方にスライダー用開口、案内部および導入部を設け、スライダーをスライダー用開口に挿入するとともに、横長のストラットを導入部に通して、案内部でスライダーを保持位置に案内させ、この案内部がスライダーを回動可能に保持していることにより実現した。
【実施例１】
【００１６】
次に、本発明における携帯機器用保持具の第１実施例について、図１ないし図３を用いて説明する。図１は本発明における携帯機器用保持具の第１実施例の説明図である。図２は携帯機器用保持具の係止部品の説明図で、（ａ）が平面図、（ｂ）が正面図、（ｃ）が側面図である。図３は携帯機器用保持具の係合部品の説明図で、（ａ）が平面図、（ｂ）が正面図、（ｃ）が側面図である。なお、図１において、係止部品、係合部品のストラットおよびスライダーが斜視図で図示されているとともに、携帯機器が二点鎖線で図示されている。また、図２（ｂ）には、係合部品のストラットおよびスライダーが参考のために図示されている。そして、図３（ｃ）において、係合部品は携帯機器に取り付けられた状態で図示されている。
【００１７】
携帯機器用保持具は、図示しないベルトなどに装着される係止部品１および、この係止部品１に係脱可能に係合する係合部品２で構成され、この係合部品２は携帯電話などの携帯機器３に接着されたりまた、一体に成形されたりしている。係止部品１および係合部品２の材質は適宜選択可能であるが、アルミやチタンなどの軽量金属、プラスチックなどの軽量でかつ丈夫であることが好ましい。
【００１８】
係止部品１は、基板１１、この基板１１の上端から背面側に湾曲して形成される装着部である引掛部１２、基板１１の前面側に設けられる左右一対の側壁１３，１４、両端がこの一対の側壁１３，１４の下端に接続される湾曲した下側側壁１５、および、側壁１３〜１５の前端から略直角に内側に張り出す張出部１７を具備している。係止部品１の引掛部１２は、ベルトなどに引っ掛けられる。そして、係止部品１の基板１１、側壁１３〜１５および張出部１７により、案内部である案内溝２１が形成される。また、左右の側壁１３，１４の上端部における張出部１７は他の部分よりも張出量が大きくなっており、この左右の張出部１７間に導入部２３が形成される。また、左右の側壁１３，１４の上端部、張出部１７の上端部および基板１１の間の空間がスライダー用開口２４となる。
【００１９】
係合部品２は、携帯機器３に両面テープや接着剤などにより取り付けられる基板３１と、この基板３１の前面から前側に突出する横長のストラット３２と、このストラット３２の先端部に形成される円板状のスライダー３３とを具備している。ストラット３２は、前述のように横長であり、横寸法Ｗは縦寸法Ｓよりも長くなっている。そして、係止部品１の導入部２３の横幅は、ストラット３２の横寸法Ｗよりも小さく、かつ、ストラット３２の縦寸法Ｓよりも大きくなっており、ストラット３２の横が導入部２３に対向する状態では、ストラット３２は導入部２３を通過することができず、かつ、ストラット３２の縦が導入部２３に対向する状態では、ストラット３２は導入部２３を通過することができる。スライダー３３は、係止部品１のスライダー用開口２４に挿入され、左右の案内溝２１に摺動案内されて、図２（ｂ）に図示する保持位置まで移動することができる。その際には、ストラット３２は張出部１７の間の空間に位置し、係合部品２の基板３１は係止部品１の外側に位置している。また、スライダー３３は、案内溝２１に保持されている状態において、回動可能となっている。そして、係合部品２の基板３１は、携帯機器３の端部より、特に充電用端子３６とは反対側の端部よりに取り付けられることが好ましい。
【００２０】
この様に構成されている携帯機器用保持具を用いて携帯機器３を携行する際には、係止部品１の引掛部１２をズボンのベルトなどに引っ掛ける。一方、係合部品２の基板３１を携帯機器３に取り付ける。そして、図１に図示するように、携帯機器３を横に向けて、ストラット３２の長手方向を上下方向に向ける。この状態で、係合部品２のスライダー３３を係止部品１のスライダー用開口２４に挿入する。すると、係合部品２のストラット３２が係止部品１の導入部２３を通過し、スライダー３３が図２（ｂ）に図示する保持位置まで移動する。そして、携帯機器３から手を離すと、携帯機器３は重力で回動し縦向きになり、ストラット３２の長手方向は図２（ｂ）に図示するように略水平となる。この状態で、人が運動などをして、携帯機器３が上下動しても、ストラット３２は横に向いているので、導入部２３を通過できず、スライダー３３が係止部品１から脱落することを防止することができる。また、携帯機器３は必要に応じて回動することができるため、座った際などには、携帯機器３を横向きにして邪魔にならないようにすることができる。
【００２１】
携帯機器３を係止部品１から取り外す際には、携帯機器３を横に向けて、ストラット３２の長手方向を上下方向に向け、その状態で、携帯機器３を上方に移動させる。すると、ストラット３２が導入部２３を通過するとともに、スライダー３３がスライダー用開口２４を通って外側に移動し、係止部品１から離脱することができる。
【実施例２】
【００２２】
次に、本発明における携帯機器用保持具の第２実施例について説明する。図４（ａ）は第２実施例の係止部品の正面図である。
【００２３】
第２実施例の図４（ａ）は、第１実施例の図２（ｂ）に対応する図であり、係合部品２のスライダー３３の形状が、第１実施例のような真円の円形ではなく、一部が切り欠かれた円形をしている。それに対応して、係止部品１の下側側壁１５の形状は一部が切り欠かれた円弧状となっている。この様に構成すると、携帯機器３は所定の角度で安定し、携帯機器３が揺れ動き過ぎることを防止することができる。
【実施例３】
【００２４】
次に、本発明における携帯機器用保持具の第３実施例について説明する。図４（ｂ）は第３実施例の係止部品の正面図である。
【００２５】
第３実施例の図４（ｂ）は、第１実施例の図２（ｂ）に対応する図であり、係合部品２のスライダー３３の形状が、第１実施例のような真円の円形ではなく、多角形をしている。それに対応して、係止部品１の下側側壁１５の形状もスライダー３３に対向する面が正面から見て多角形をしている。この様に構成すると、携帯機器３を所望の複数の向きで安定させることができる。
【実施例４】
【００２６】
次に、本発明における携帯機器用保持具の第４実施例について説明する。図５は第４実施例における携帯機器の背面図である。
【００２７】
第４実施例では、携帯機器３の機種が第１実施例とは異なるとともに、係合部品２のストラット３２は、断面が長円形状であり、携帯機器３の電池交換用の蓋４１に直接一体成形されている。したがって、第１実施例の係合部品２の基板３１に対応する部分は不要となる。そして、充電をする際などに係合部品２が邪魔になる場合には、蓋４１を、係合部品２が設けられていない蓋（図示しない）と取り替えることができる。
【００２８】
以上、本発明の実施例を詳述したが、本発明は、前記実施例に限定されるものではなく、特許請求の範囲に記載された本発明の要旨の範囲内で、種々の変更を行うことが可能である。本発明の変更例を下記に例示する。
【００２９】
（１）ストラット３２やスライダー３３の形状、材質や構造は適宜変更可能である。
（２）係止部品の装着部は、ベルトやズボンなどに装着することができるならば、適宜変更可能で、たとえば、洗濯バサミのような形状にすることも可能である。また、ベルトが通る構造にすることも可能である。
【００３０】
（３）携帯機器用保持具は、携帯電話に限らず、携帯小型カメラなどの多種多様な携帯機器に対応することができる。
（４）係合部品２を携帯機器３に設ける方法は適宜選択可能である。たとえば、係合部品２を携帯機器３の本体ケースと別体に成形し、係合部品２の基板３１を両面テープや接着剤などで取り付けることも可能であるし、また、係合部品２の基板３１を挟み込みできるようなＵ字板を携帯機器３の本体ケースや電池交換用蓋４１などに設けることも可能である。さらに、係合部品２を携帯機器３の本体ケースや蓋と一体に成形することも可能である
【００３１】
（５）実施例においては、ストラット３２やスライダー３３が係合部品２側に、また、側壁１３〜１５、張出部１７、案内溝２１などが係止部品１側に設けられているが、ストラット３２やスライダー３３を係止部品１側に、また、側壁１３〜１５、張出部１７、案内溝２１などを係合部品２側に設けることも可能である。
【産業上の利用可能性】
【００３２】
ストラットの短辺を導入部に対向させるように、携帯機器の向きを変更させることにより、携帯機器の係合部品を係止部品に簡単に係脱させることができるため、ワンタッチで携帯機器を取り付け、取り外しすることができる。また、ストラットの端部に設けられたスライダーは案内部に保持されている状態で回動可能であり、携帯機器の保持後、ストラットの向きが変更されると、走ったり、運動しても携帯機器が脱落するおそれはない。したがって、携帯電話や携帯小型カメラなどの多種多様な携帯機器を、恰好および操作性良く確実に携行する必要がある用途に適用できる。
【図面の簡単な説明】
【００３３】
【図１】図１は本発明における携帯機器用保持具の第１実施例の説明図である。
【図２】図２は携帯機器用保持具の係止部品の説明図で、（ａ）が平面図、（ｂ）が正面図、（ｃ）が側面図である。
【図３】図３は携帯機器用保持具の係合部品の説明図で、（ａ）が平面図、（ｂ）が正面図、（ｃ）が側面図である。
【図４】図４は第２実施例および第３実施例の説明図で、（ａ）が第２実施例の係止部品の正面図、（ｂ）は第３実施例の係止部品の正面図である。
【図５】図５は第４実施例における携帯機器の背面図である。
【符号の説明】
【００３４】
Ｓ  ストラットの縦寸法
Ｗ  ストラットの横寸法
１  係止部品
２  係合部品
３  携帯機器
１２  引掛部（装着部）
２１  案内溝（案内部）
２３  導入部
２４  スライダー用開口
３２  ストラット
３３  スライダー
３６  充電用端子
４１  電池交換用蓋
【図１】
2005295227.tif 000003
【図２】
2005295227.tif 000004
【図３】
2005295227.tif 000005
【図４】
2005295227.tif 000006
【図５】
2005295227.tif 000007